(57)【要約】【課題】  ２つ以上の放送波を各々異なる水平面放射パターンで送信できる放送用送信アンテナ装置を提供する。【解決手段】  ２つ以上の異なる周波数の放送波を、空間を隔てて２個以上配置したパネルアンテナ１〜４から放射するアンテナ装置において、各パネルアンテナ１〜４への電力分配比が２つ以上の周波数で異なるようにパネルアンテナ１〜４へ給電される放送用送信アンテナ装置１００である。【選択図】      図１
2005101737.tif 000002
【特許請求の範囲】
【請求項１】
２つ以上の異なる周波数の放送波を、空間を隔てて２個以上配置したパネルアンテナから放射するアンテナ装置において、各上記パネルアンテナへの電力分配比が２つ以上の周波数で異なるように上記パネルアンテナへ給電されることを特徴とする放送用送信アンテナ装置。
【請求項２】
２つ以上の異なる周波数の放送波を、垂直に１段以上積み重ね、水平面に２面以上配置したパネルアンテナから放射するアンテナ装置において、水平面内の各パネルアンテナへの電力分配比が２つ以上の周波数で異なるように上記パネルアンテナへ給電される請求項１記載の放送用送信アンテナ装置。
【請求項３】
２つ以上の異なる周波数の放送波を、垂直に２段以上積み重ね、水平面に１面以上配置したパネルアンテナから放射するアンテナ装置において、垂直面内の各パネルアンテナへの電力分配比が２つ以上の周波数で異なるように上記パネルアンテナへ給電される請求項１記載の放送用送信アンテナ装置。
【請求項４】
異なる周波数の放送波を出力する各放送機がそれぞれ放送機側の電力分配器に接続され、該放送機側の電力分配器がそれぞれ共用装置に接続され、該共用装置がそれぞれパネルアンテナ側の電力分配器に接続され、該パネルアンテナ側の電力分配器がそれぞれ上記パネルアンテナに接続される請求項１〜３いずれか記載の放送用送信アンテナ装置。
【発明の詳細な説明】
【技術分野】
【０００１】
本発明は、放送用送信アンテナ装置に関するものである。
【背景技術】
【０００２】
２つ以上の放送波を新設または既存の同一鉄塔から送信する場合、放送波の数だけ送信アンテナを設置する方法と、送信アンテナを共用して放送波を同一アンテナから送信する方法が周知である。放送波の数だけ送信アンテナを設置した例として、図７に示すように鉄塔２５の頂部にアンテナ専用支持柱を用いて追加される送信アンテナ２８を設置した構成が公知である。また図８に示すように鉄塔２５の側面にパネルアンテナ２９を多面配置して取り付けた構成が公知である。
【０００３】
また、周波数の数だけ素子を設けたアンテナユニットを用いたアンテナ装置が開示されている（例えば、特許文献１参照。）。
【０００４】
また、送信アンテナを共用して放送波を同一アンテナから送信する方法としては、周波数共用装置を用いて１つのアンテナに２つ以上の電波を供給する構成があげられる。
【０００５】
具体例として、２つの異なる周波数信号を共用装置によって重畳し、重畳された信号を分配器で分配して各アンテナに給電することにより、２つの異なる周波数信号を同一アンテナから放射するアンテナ装置が開示されている（例えば、特許文献２参照。）。
【０００６】
【特許文献１】特開２０００−２７８０４０号公報
【特許文献２】特開２０００−３０７３３８号公報
【発明の開示】
【発明が解決しようとする課題】
【０００７】
しかしながら、図７に示すように、既存の鉄塔２５に既存の送信アンテナ２７の他に新たに送信アンテナ２８を追加して設置する場合、鉄塔２５にかかる負荷が大きくなり、大規模な鉄塔２５の補強が必要になる。図８に示す多面配置においては、鉄塔２５にかかる負荷が大きくなるのに加えて、アンテナの輻射中心高が低くなり、放送サービスエリアが狭くなる問題点もある。
【０００８】
送信アンテナを共用する場合は、輻射中心高は変わらないが共用装置によって重畳された複数の信号を分配して各アンテナに給電しているため、周波数によって個別に分配比を設定することができず、２つ以上の放送波間で放射パターンを自由に変えて送信することはできない。
【０００９】
即ち、背景技術では、分配器の電力分配比を変更しても重畳された全ての周波数の信号で分配比が一律に変更されてしまうので、周波数毎の放射パターンはほぼ同一になってしまうという問題点があった。
【００１０】
そこで、本発明の目的は、２つ以上の放送波を各々異なる水平面放射パターンで送信できる放送用送信アンテナ装置を提供することにある。
【課題を解決するための手段】
【００１１】
本発明は上記目的を達成するために創案されたものであり、第１の発明は、２つ以上の異なる周波数の放送波を、空間を隔てて２個以上配置したパネルアンテナから放射するアンテナ装置において、各上記パネルアンテナへの電力分配比が２つ以上の周波数で異なるように上記パネルアンテナへ給電される放送用送信アンテナ装置である。
【００１２】
第２の発明は、２つ以上の異なる周波数の放送波を、垂直に１段以上積み重ね、水平面に２面以上配置したパネルアンテナから放射するアンテナ装置において、水平面内の各パネルアンテナへの電力分配比が２つ以上の周波数で異なるように上記パネルアンテナへ給電されるものである。
【００１３】
第３の発明は、２つ以上の異なる周波数の放送波を、垂直に２段以上積み重ね、水平面に１面以上配置したパネルアンテナから放射するアンテナ装置において、垂直面内の各パネルアンテナへの電力分配比が２つ以上の周波数で異なるように上記パネルアンテナへ給電されるものである。
【００１４】
第４の発明は、異なる周波数の放送波を出力する各放送機がそれぞれ放送機側の電力分配器に接続され、該放送機側の電力分配器がそれぞれ共用装置に接続され、該共用装置がそれぞれパネルアンテナ側の電力分配器に接続され、該パネルアンテナ側の電力分配器がそれぞれ上記パネルアンテナに接続されるものである。
【発明の効果】
【００１５】
本発明によれば、２つ以上の放送波を各々異なる水平面放射パターンで送信できる放送用送信アンテナ装置を得られる。
【発明を実施するための最良の形態】
【００１６】
以下、本発明の好適実施の形態を添付図面にしたがって説明する。
【００１７】
図１は、本発明の好適実施の形態である放送用送信アンテナ装置を示す構成図である。
【００１８】
図示したように放送用送信アンテナ装置１００は、異なる周波数（チャネル）の送信を行うための放送機１１ａ、１１ｂと、放送機１１ａ、１１ｂからの送信出力（放送波）を１以上の経路に予め決められた電力分配比で分配する放送機側の電力分配器（以下、分配器という。）７ａ、７ｂと、分配された異なる周波数の送信出力を重畳する周波数共用のための共用装置５ｘ、５ｙと、共用装置５ｘ、５ｙからの出力をパネルアンテナ１〜４に分配するためのパネルアンテナ側の分配器７ｘ、７ｙと、パネルアンテナ側の分配器７ｘ、７ｙから電力分配された送信出力を電磁波として放射するパネルアンテナ１〜４と、各構成部材間を接続し送信出力を伝送する給電線１３〜２４とを備えて構成される。
【００１９】
パネルアンテナ１〜４は、垂直に１段以上積み重ね水平面に２面以上配置したアンテナ素子の構成であり、本実施の形態においては送信アンテナとして１段４面構成として設けられた例である。図示したようにパネルアンテナ１〜３は送信の系統ｘであり、パネルアンテナ４は送信の系統ｙである。
【００２０】
送信機側の分配器７ａ、７ｂは、放送機１１ａ、１１ｂから出力された送信出力を系統ｘ、系統ｙに供給するための電力分配を行うためのもので、例えば送信機側の分配器７ａの分配比は予め３：１に設定されており、送信機側の分配器７ｂの分配比は予め１２：１に設定されている。各々の分配比の設定は、パネルアンテナ１〜４から送信する各々の送信出力に関係しており、これは後述する各周波数の放射パターンを決定するためのパラメータとなっている。
【００２１】
パネルアンテナ側の分配器７ｘ、７ｙの分配比は、ここでは等比と設定して説明する。なお、実施に於いては等比に限るものではなく、各周波数において所望の放射パターンを得るために、送信機側の分配器７ａ、７ｂの分配比の設定と併せて、パネルアンテナ側の分配器７ｘ、７ｙの分配比を設定するとよい。
【００２２】
また、図１ではパネルアンテナ側の分配器７ｙは、１個のみパネルアンテナを接続し共用装置５ｙの出力を分配せずそのままパネルアンテナ４に給電しているが、必要があればパネルアンテナ側の分配器７ｙにおいてもパネルアンテナ側の分配器７ｘと同様に分配を行い、分配した各々の出力に同様にパネルアンテナを接続し、各パネルアンテナに給電するとよい。
【００２３】
放送機１１ａは給電線２３により送信機側の分配器７ａに接続されている。送信機側の分配器７ａの分配出力は給電線１９により共用装置５ｘに、給電線２２により共用装置５ｙに各々接続されている。放送機１１ｂは給電線２４により送信機側の分配器７ｂに接続されている。送信機側の分配器７ｂの分配出力は給電線２０により共用装置５ｘに、給電線２１により共用装置５ｙに各々接続されている。
【００２４】
共用装置５ｘの出力側は、給電線１７によりパネルアンテナ側の分配器７ｘに接続されている。パネルアンテナ側の分配器７ｘの分配された出力側は給電線１３、１４、１５により各々パネルアンテナ１、２、３に接続されている。共用装置５ｙの出力側は、給電線１８によりパネルアンテナ側の分配器７ｙに接続されている。パネルアンテナ側の分配器７ｙの出力側は給電線１６によりパネルアンテナ４に接続されている。
【００２５】
パネルアンテナ１〜４は、系統ｘのパネルアンテナ１〜３と、系統ｙのパネルアンテナ４をそれぞれパネルアンテナ側のパネルアンテナ側の分配器７ｘ、７ｙを介して共用装置５ｘ、５ｙに接続することで、パネルアンテナ１〜４は、共用装置に接続されている送信機側の分配器７ａ、７ｂの分配比により放射パターンを変化させることができる。
【００２６】
パネルアンテナ１〜４は、図６に示す鉄塔２５に設けられた送信アンテナ２６の位置に設置されており、例えば円筒中心からの距離２００ｍｍで円筒側面に４面９０度方向毎にパネルアンテナ１〜４が配置されている。
【００２７】
本実施の形態の作用について次に説明する。
【００２８】
放送用送信アンテナ装置１００は、２つ以上の異なる周波数の放送機１１ａ、１１ｂから出力される放送波を、空間を隔てて２個以上配置したパネルアンテナ１〜４から放射するアンテナ装置であり、各パネルアンテナ１〜４への電力分配比が２つ以上の周波数（即ち、放送機１１ａ、１１ｂの送信周波数）で異なるようにパネルアンテナ１〜４へ給電される機能を有する。
【００２９】
放送機１１ａから出力された送信出力は、給電線２３に伝送され、送信機側の分配器７ａに入力される。送信機側の分配器７ａに入力された送信出力は、送信機側の分配器７ａの分配比３：１で分配され２系統の給電線１９、２２に各々出力される。給電線１９の送信出力は、共用装置５ｘに入力され、給電線２２の送信出力は、共用装置５ｙに入力される。
【００３０】
放送機１１ｂから出力された送信出力は、給電線２４に伝送され、送信機側の分配器７ｂに入力される。送信機側の分配器７ｂに入力された送信出力は、送信機側の分配器７ｂの分配比１２：１で分配され２系統の給電線２０、２１に各々出力される。給電線２０の送信出力は、共用装置５ｘに入力され、給電線２１の送信出力は、共用装置５ｙに入力される。
【００３１】
共用装置５ｘに入力した給電線１９の送信出力と給電線２０の送信出力は、重畳され給電線１７に出力される。給電線１７に出力された送信出力はパネルアンテナ側の分配器７ｘに入力される。パネルアンテナ側の分配器７ｘに入力された送信出力は、等分配され、給電線１３、１４、１５を介して各々パネルアンテナ１、２、３に給電される。給電された送信出力は、パネルアンテナ１、２、３から送信される。
【００３２】
共用装置５ｙに入力した給電線２１の送信出力と給電線２２の送信出力は、重畳され給電線１８に出力される。給電線１８に出力された送信出力はパネルアンテナ側の分配器７ｙに入力される。パネルアンテナ側の分配器７ｙに入力された送信出力は、給電線１６を介してパネルアンテナ４に給電される。給電された送信出力は、パネルアンテナ４から送信される。
【００３３】
この放送用送信アンテナ装置１００において、放送機１１ａから出力された放送波の放射パターンは送信機側の分配器７ａの分配比によって決定され、一方放送機１１ｂから出力された放送波の放射パターンは送信機側の分配器７ｂの分配比によって決定されるので、送信機側の分配器７ａ、７ｂの分配比を個別任意に設定することで、各々の周波数において異なる放射パターンを任意に形成できる。
【００３４】
図２、図３は、図１に示す放送用送信アンテナ装置１００の構成として４Ｌ双ループアンテナを使用し、放送機１１ａの放送波を５２ｃｈ（７０７ＭＨｚ）、放送機１１ｂの放送波４８ｃｈ（６８３ＭＨｚ）とし、円筒中心からの距離２００ｍｍで円筒側面に４面９０度方向毎にパネルアンテナ１〜４を配置し、送信機側の分配器７ａの分配比が３：１、送信機側の分配器７ｂの分配比が１２：１としたときの水平方向放射パターンの計算値である。
【００３５】
図２は、送信機側の分配器７ａの分配比が３：１であることから、パネルアンテナ１、２、３、４にそれぞれ分配比（電力比）１：１：１：１で供給された放送機１１ａからの出力、即ち５２ｃｈの放送波の水平方向放射パターンを示している。
【００３６】
図３は、送信機側の分配器７ｂの分配比が１２：１であることから、パネルアンテナ１、２、３、４にそれぞれ分配比（電力比）４：４：４：１で供給された放送機１１ｂからの出力、即ち４８ｃｈの放送波の水平方向放射パターンを示している。図中放射パターンの２７０°の方向で放射パターンが約６ｄＢ低くなっているのは、パネルアンテナ４への分配比が他のパネルアンテナ１〜３の分配比に比べて４分の１と低いことと対応している。
【００３７】
図２、図３の放射パターンを比べてみると、同一のパネルアンテナ１〜４を共用しながらチャネルによって異なる放射パターンで送信されていることが分かる。この計算結果により、アンテナは同一のものを使用しながら、分配比を分配器毎に個別任意に設定することで各放送波毎に異なるアンテナ放射パターンから放射することが可能となることが分かる。
【００３８】
次に、第２の実施の形態について説明する。
【００３９】
図４は、送用送信アンテナ装置の第２の実施の形態を示す構成図である。
【００４０】
放送用送信アンテナ装置１０１は、３周波数の放送波を各々異なる放射パターンで送信することができるアンテナ装置である。
【００４１】
図示したように、放送用送信アンテナ装置１０１は、送信周波数の異なる放送機１１ａ、１１ｂ、１１ｃと、放送機１１ａ、１１ｂ、１１ｃからの送信出力（放送波）を１以上の経路に決められた比で分配する送信機側の分配器７ａ、７ｂ、７ｃと、分配された異なるチャネルの送信出力を合成（重畳）する共用装置５ｐ、５ｑ、５ｒと、共用装置５ｐ、５ｑ、５ｒからの出力をパネルアンテナ１〜４、３１〜３４、６１〜６４に分配するための分配器７ｐ、７ｑ、７ｒと、分配器７ｐ、７ｑ、７ｒから分配された送信出力を電磁波として放射するパネルアンテナ１〜４、３１〜３４、６１〜６４と、各構成品を接続し送信出力を給電する給電線とを備えて構成される。
【００４２】
本実施の形態におけるパネルアンテナ１〜４、３１〜３４、６１〜６４は、送信アンテナとして３段４面構成として設けられた例であり、パネルアンテナ１、２、３１、３２、６１、６２は送信の系統ｐであり、パネルアンテナ３、３３、６３は送信の系統ｑであり、パネルアンテナ４、３４、６４は送信の系統ｒである。
【００４３】
送信機側の分配器７ａ〜７ｃは、放送機１１ａ〜１１ｃから出力された送信出力を系統ｐ、系統ｑ、系統ｒに供給するための電力分配を各々予め設定された分配比で行う。
【００４４】
各々の分配比の設定は、パネルアンテナ１〜４、３１〜３４、６１〜６４から送信する各々の送信出力に関係しており、これは各周波数の放射パターンを決定するパラメータとなっている。
【００４５】
分配器７ｐ〜７ｒの分配比は、ここでは等比と設定して説明する。なお、実施に於いては等比に限るものではなく、各周波数において所望の放射パターンを得るために、送信機側の分配器７ａ〜７ｃの分配比の設定と併せて、分配器７ｐ〜７ｒの分配比を設定するとよい。
【００４６】
放送機１１ａは、送信機側の分配器７ａに接続されている。送信機側の分配器７ａの出力は共用装置５ｐと、共用装置５ｑと、共用装置５ｒとに各々接続されている。
【００４７】
放送機１１ｂは、送信機側の分配器７ｂに接続されている。送信機側の分配器７ｂの出力は共用装置５ｐと、共用装置５ｑと、共用装置５ｒとに各々接続されている。
【００４８】
放送機１１ｃは、送信機側の分配器７ｃに接続されている。送信機側の分配器７ｃの出力は共用装置５ｐと、共用装置５ｑと、共用装置５ｒとに各々接続されている。
【００４９】
共用装置５ｐの出力側は分配器７ｐに接続されており、共用装置５ｑの出力側は分配器７ｑに接続されており、共用装置５ｒの出力側は分配器７ｒに接続されている。
【００５０】
分配器７ｐの分配された出力側は、各々パネルアンテナ１、２、３１、３２、６１、６２に接続されている。分配器７ｑの分配された出力側は、各々パネルアンテナ３、３３、６３に接続されている。分配器７ｒの分配された出力側は、各々パネルアンテナ４、３４、６４に接続されている。
【００５１】
パネルアンテナ１〜４、３１〜３４、６１〜６４は、図６に示す図中送信アンテナ２６の位置に設けられており、３段４面構成となっている。
【００５２】
次に図示した構成の作用について説明する。
【００５３】
放送機１１ａから出力された送信出力は、給電線により伝送され、送信機側の分配器７ａに入力される。送信機側の分配器７ａに入力された送信出力は、送信機側の分配器７ａの予め設定された分配比で３分配され、各々出力される。
【００５４】
出力された３分配の出力は共用装置５ｐと、共用装置５ｑと、共用装置５ｒに各々入力される。
【００５５】
放送機１１ｂから出力された送信出力は、伝送され送信機側の分配器７ｂに入力される。送信機側の分配器７ｂに入力された送信出力は、送信機側の分配器７ｂの予め設定された分配比で３分配され、各々出力される。
【００５６】
出力された３分配の出力は共用装置５ｐと、共用装置５ｑと、共用装置５ｒに各々入力される。
【００５７】
放送機１１ｃから出力された送信出力は、伝送され送信機側の分配器７ｃに入力される。送信機側の分配器７ｃに入力された送信出力は、送信機側の分配器７ｃの予め設定された分配比で３分配され、各々出力される。
【００５８】
出力された３分配の出力は共用装置５ｐと、共用装置５ｑと、共用装置５ｒに各々入力される。
【００５９】
共用装置５ｐに入力された送信機側の分配器７ａ〜７ｃからの各送信出力は共用装置５ｐにより重畳され、分配器７ｐに入力される。分配器７ｐに入力された送信出力は、分配され各々パネルアンテナ１、２、３１、３２、６１、６２に給電される。給電された送信出力は、パネルアンテナ１、２、３１、３２、６１、６２から送信される。
【００６０】
共用装置５ｑに入力された送信機側の分配器７ａ〜７ｃからの各送信出力は共用装置５ｑにより重畳され、分配器７ｑに入力される。分配器７ｑに入力された送信出力は、分配され各々パネルアンテナ３、３３、６３に給電される。給電された送信出力は、パネルアンテナ３、３３、６３から送信される。
【００６１】
共用装置５ｒに入力された送信機側の分配器７ａ〜７ｃからの各送信出力は共用装置５ｒにより重畳され、分配器７ｒに入力される。分配器７ｒに入力された送信出力は、分配され各々パネルアンテナ４、３４、６４に給電される。給電された送信出力は、パネルアンテナ４、３４、６４から送信される。
【００６２】
この放送用送信アンテナ装置１０１において、放送機１１ａから出力された放送波の放射パターンは送信機側の分配器７ａの分配比によって決定され、放送機１１ｂから出力された放送波の放射パターンは送信機側の分配器７ｂの分配比によって決定され、放送機１１ｃから出力された放送波の放射パターンは送信機側の分配器７ｃの分配比によって決定されるので、送信機側の分配器７ａ〜７ｃの分配比を個別任意に設定することで、各々の周波数において異なる放射パターンを任意に形成できる。
【００６３】
図１、図４に示した実施の形態は、２周波数、３周波数の放送波を同一のアンテナを用いて各々異なる放射パターンで送信する例であるが、同様の構成を拡張することにより４周波数以上の放送波を同様に同一のアンテナから各々異なる放射パターンで送信することができる。
【００６４】
また、別の変形例として、垂直２段以上のアンテナ構成において、パネルアンテナを上下に配し、分配した電力を給電することで、２波以上の異なる周波数の放送波を異なる垂直放射パターンにより送信する装置を構築することも可能である。
【００６５】
即ち、図５に示す放送用送信アンテナ装置１０２は、２つ以上の異なる周波数の放送波を、垂直に２段以上積み重ね、水平面に１面以上配置したパネルアンテナから放射するアンテナ装置であり、垂直面内の各パネルアンテナへの電力分配比が２つ以上の周波数で異なるようにパネルアンテナへ給電される機能を有する。
【００６６】
図５の放送用送信アンテナ装置１０２は、図１に示す放送用送信アンテナ装置１００と同じ構成部材、接続であるが、パネルアンテナ１〜４が垂直に配列して設けられ、各パネルアンテナ１〜４が同一方向に向くように配されている点のみが異なる。
【００６７】
この放送用送信アンテナ装置１０２において、放送機１１ａから出力された放送波の放射パターンは送信機側の分配器７ａの分配比によって決定され、放送機１１ｂから出力された放送波の放射パターンは送信機側の分配器７ｂの分配比によって決定されるので、送信機側の分配器７ａ、７ｂの分配比を個別任意に設定することで、各々の周波数において異なる垂直放射パターンを任意に形成できる。
【００６８】
この周波数毎に異なる垂直放射パターンにより、放送サービスエリアを周波数毎に変えることが可能となる。
【００６９】
以上説明したように、大規模な鉄塔などの改修・追加工事を行うことなく既存の鉄塔、送信アンテナを使用することができ、鉄塔の負荷を増大させず同一のアンテナから異なる周波数の放送波を各々異なる水平面放射パターン又は垂直放射パターンで送信することができるようになる。
【００７０】
また、背景技術のパネルアンテナ多面配置において問題であったアンテナの輻射中心高が低くなり、また放送サービスエリアが狭くなるという弊害も、水平放射パターンを周波数毎に変える実施の形態により同じ輻射中心高の放射パターンから送信されるため解消される優れた効果が得られる。
【産業上の利用可能性】
【００７１】
本発明にかかるアンテナ装置は、放送用のアンテナ装置に有効であるばかりではなく、２波以上の周波数で送信を行う他の様々なアンテナ装置に利用できる産業上の利用可能性を有する。
【図面の簡単な説明】
【００７２】
【図１】放送用送信アンテナ装置の実施の形態を示す構成図である。
【図２】放送用送信アンテナ装置による５２ｃｈの水平面放射パターン図である。
【図３】放送用送信アンテナ装置による４８ｃｈの水平面放射パターン図である。
【図４】パネルアンテナを３段４面使用し、放送波を３波とした他の実施の形態を示す構成図である。
【図５】パネルアンテナを４段使用し、垂直放射パターンを周波数毎に異ならせた実施の形態を示す構成図である。
【図６】放送用送信アンテナ装置のパネルアンテナを鉄塔に設置した状況を示す概観図である。
【図７】鉄塔の既存の送信アンテナの上に新しい送信アンテナを設置した状態を示す概観図である。
【図８】鉄塔に新しい送信アンテナを多面配置して設けた状態を示す概観図である。
【符号の説明】
【００７３】
１、２、３、４  パネルアンテナ
５ｘ、５ｙ  共用装置
７ａ、７ｂ  放送機側の電力分配器
７ｘ、７ｙ  パネルアンテナ側の電力分配器
１１ａ、１１ｂ  放送機
１３〜２４  給電線
【図１】
2005101737.tif 000003
【図２】
2005101737.tif 000004
【図３】
2005101737.tif 000005
【図４】
2005101737.tif 000006
【図５】
2005101737.tif 000007
【図６】
2005101737.tif 000008
【図７】
2005101737.tif 000009
【図８】
2005101737.tif 000010
【手続補正書】
【提出日】平成15年10月1日(2003.10.1)
【手続補正１】
【補正対象書類名】図面
【補正対象項目名】図２
【補正方法】変更
【補正の内容】
【図２】
2005101737.tif 000011
【手続補正２】
【補正対象書類名】図面
【補正対象項目名】図３
【補正方法】変更
【補正の内容】
【図３】
2005101737.tif 000012